(57)【要約】【課題】ショット時にゴルフクラブとの衝撃で破損したり、地面から抜けたりすることがなく、しかも、飛距離の向上に効果があるゴルフティーを提供する。【解決手段】ゴルフボールを載置する載置部２と、地中に差し込まれる差込部３とを、直立姿勢と屈曲姿勢とに変形可能で、変形状態から元の状態へは自然復帰しない蛇腹状の連結部４で連結する。ゴルフクラブの打撃による衝撃を連結部４が屈曲変形して吸収することにより、ゴルフティー１の破損や地面からの抜けが回避される。また、連結部４は変形状態から元の状態へは自然復帰しない性質を有するので、ゴルフボールが飛び出すときに該ゴルフボールに対して反作用を与えず、その分だけゴルフボールの飛距離が増す。【選択図】図１
2005185340.tif 000002
【特許請求の範囲】
【請求項１】
ゴルフボールを載置する載置部と、地中に差し込まれる差込部とを、直立姿勢と屈曲姿勢とに変形可能で、変形状態から元の状態へは自然復帰しない蛇腹状の連結部で連結したことを特徴とするゴルフティー。
【発明の詳細な説明】
【技術分野】
【０００１】
この発明は、ティーショットの際にゴルフボールを打ちやすい状態に保持するために使用されるゴルフティーに関する。
【背景技術】
【０００２】
一般的にゴルフティーは、上端部が皿状に形成され下端部が鋭利に形成された木製またはプラスチック製の細長い物品であって、鋭利な下端部を地中に差し込んで地面に固定し、皿状の上端部の上にゴルフボールを載置するようになっている。ゴルフティーに保持されているゴルフボールをゴルフクラブで打つ際には、ゴルフクラブがゴルフティーにも当たるため、その衝撃でゴルフティーが破損したり、地面から抜けて紛失したりすることがある。
【０００３】
上記不都合の防止を目的として、種々のゴルフティーが開発実用化されている。中でも、ゴルフボールを載せる部分と地中に差し込む部分との間に弾性を有する部分を介在させ、ゴルフボールを載せる部分にゴルフクラブの衝撃が加わったときに、その衝撃を弾性を有する部分で吸収する構成としたものは、破損や地面からの抜けに対する効果が高いと思われる（例えば、特許文献１、２）。
【特許文献１】特開平０５−０５７０４１号公報
【特許文献２】特開２００２−１１３１４０号公報
【発明の開示】
【発明が解決しようとする課題】
【０００４】
しかしながら、上記対策を施した従来のゴルフティーは、特許文献１、２に記載のものも含め、弾性を有する部分の作用により、地中に差し込む部分に対してゴルフボールを載せる部分が常に元の位置へ復帰しようとしているため、この復帰力がゴルフボールの飛び出しに対して反作用として働き、ボールの飛距離低下を招いていた。
【０００５】
本発明は、上記事情に鑑み、ショット時にゴルフクラブとの衝撃で破損したり、地面から抜けたりすることがなく、しかも、飛距離の向上に効果があるゴルフティーを提供することを課題としている。
【課題を解決するための手段】
【０００６】
上記課題を解決するために、本発明は次の構成とした。すなわち、本発明にかかるゴルフティーは、ゴルフボールを載置する載置部と、地中に差し込まれる差込部とを、直立姿勢と屈曲姿勢とに変形可能で、変形状態から元の状態へは自然復帰しない蛇腹状の連結部で連結したことを特徴としている。
【０００７】
したがって、連結部が直立状態に保持されたゴルフティーの差込部を地中に差し込んで該ゴルフティーを固定し、その載置部にゴルフボールを載せ、当該ゴルフボールをゴルフクラブによりショットすれば、ゴルフクラブに打撃されてゴルフボールは飛び出すと同時に、ゴルフティーの載置部にもゴルフクラブの打撃力が加わるため連結部が屈曲変形して当該打撃力を吸収するので、ゴルフボールの飛距離がアップする。また、ゴルフティーの破損や地面からの抜けが回避される。連結部は蛇腹状であるので、３６０度いずれの方向にも均等に変形可能である。
【０００８】
このように、連結部は変形状態から元の状態へは自然復帰しない性質を有するので、変形後はそのままの状態に保持される。このことは、ゴルフボールが飛び出すときに該ゴルフボールに対して反作用を与えていないことにもなり、この分でゴルフボールの飛距離が増す要因となる。変形した連結部は手で容易に元の直立状態に戻すことができるので、何度でもゴルフティーを再使用することができる。
【発明の効果】
【０００９】
上記の如く、本発明のゴルフティーは、ゴルフボールを載置する載置部と、地中に差し込まれる差込部とを、直立姿勢と屈曲姿勢とに変形可能で、変形状態から元の状態へは自然復帰しない蛇腹状の連結部で連結した構成とすることにより、ショット時にゴルフクラブによる打撃で破損したり地面から抜けたりすることを防止することができ、しかも、ゴルフボールの飛距離を向上させることができるようになった。
【発明を実施するための最良の形態】
【００１０】
以下、本発明の好ましい実施の形態を図１〜図４に基づき説明する。
【実施例１】
【００１１】
図１は本発明のゴルフティーの正面断面図、図２はその平面図である。このゴルフティー１は、ゴルフボールを載置する載置部２と、地中に差し込まれる差込部３と、両部２，３を連結する連結部４とからなっている。
【００１２】
載置部２は、上部に複数本（図では８本）の弾性を有する細長い突起２ａ，…が円環状に配置して設けられている。各突起２ａ，…は上位側ほど外側に開くように若干斜めになっており、その上端部でゴルフボール５の下面を支えるようになっている（図３参照）。突起２ａ，…の下側は突起支持体２ｂで、その下側は円柱状の連結部取付体２ｃになっている。
【００１３】
差込部３は、下位側ほど細く下端部が鋭利（手を傷つけるほどではない）に形成された差込部本体３ａを備え、その差込部本体３ａの上は上側ほど大径になった皿状の差込規制鍔３ｂ、さらにその上側は円柱状の連結部取付体３ｃになっている。
【００１４】
連結部４は、蛇腹状になっており、上下両端部４ａ，４ｂに載置部２及び差込部３の各連結部取付体２ｃ，３ｃがそれぞれ抜けないように挿入されている。蛇腹状である連結部４は、直立姿勢（図３参照）と屈曲姿勢（図４参照）とに変形可能であるとともに、変形状態から元の状態へは自然復帰しない性質を有する。
【００１５】
このゴルフティー１を用いてティーショットを行うに際しては、連結部４が直立状態に保持されたゴルフティー１の差込部３を地中に差し込んで該ゴルフティーを固定し、その載置部２にゴルフボール５を載せる。差込規制鍔３ｂの位置まで差込部３を地中に差し込むと、ゴルフティー１が安定するとともに、ゴルフボール５が打ちやすい高さになる。そして、図３に示すように、当該ボルフボール５をゴルフクラブ６によりショットすると、ゴルフクラブ６の打撃力によりゴルフボール５はゴルフクラブ６の振り抜き方向に飛び出す。
【００１６】
それと同時に、ゴルフティー１の載置部２にもゴルフクラブ６の打撃力が加わり、載置部２も移動するため、図４に示すように、連結部４が屈曲変形する。連結部４が屈曲変形してゴルフクラブ６の打撃力を吸収することにより、ゴルフティー１が破損したり、地面から抜けたりすることが回避される。変形した連結部４は、そのままの状態に保持される。
【００１７】
連結部４は変形状態から元の状態へは自然復帰しない性質を有し、ゴルフボール５が飛び出すときに該ゴルフボールに対して反作用を与えていないので、その分だけゴルフボール５の飛距離が増す。また、連結部４は蛇腹状であり、３６０度いずれの方向にも均等に変形可能であるので、ゴルフボールの飛行方向に悪影響を与えることもない。変形した連結部４は、手で容易に元の直立状態に戻すことができる。
【図面の簡単な説明】
【００１８】
【図１】ゴルフティーの正面断面図である。
【図２】ゴルフティーの平面図である。
【図３】ショット時のゴルフティーの状態を示す図である。
【図４】ショット後のゴルフティーの状態を示す図である。
【符号の説明】
【００１９】
１  ゴルフティー
２  載置部
３  差込部
４  連結部
５  ゴルフボール
【図１】
2005185340.tif 000003
【図２】
2005185340.tif 000004
【図３】
2005185340.tif 000005
【図４】
2005185340.tif 000006